【手続補正書】
【提出日】平成20年9月17日(2008.9.17)
【手続補正１】
【補正対象書類名】明細書
【補正対象項目名】特許請求の範囲
【補正方法】変更
【補正の内容】
【特許請求の範囲】
【請求項１】  オーディオトラックと、データ及び該データを管理する第１の管理データとを有するデータトラックとを記録可能なデータ領域と、
上記オーディオトラック及び上記データトラックを管理する第２の管理データが記録される管理領域と、
を備え、
上記オーディオトラック及び上記第２の管理データは第１の変調方式により変調され、上記データトラックは第２の変調方式により変調されて、混在記録されることを特徴とする記録媒体。
【請求項２】  上記データ領域内において、上記オーディオトラックと上記データトラックは、それぞれ任意の位置に記録可能とされることを特徴とする請求項１に記載の記録媒体。
【請求項３】  上記データ領域内において、上記オーディオトラックが記録されるオーディオトラック記録領域と、上記データトラックが記録されるデータトラック記録領域とが設定されていることを特徴とする請求項１に記載の記録媒体。
【請求項４】  ディスク状記録媒体とされるとともに、
上記データトラック記録領域は、上記オーディオトラック記録領域よりもディスク内周側に設定されることを特徴とする請求項３に記載の記録媒体。
【請求項５】  上記第１の管理データの管理外に非公開情報が記録されることを特徴とする請求項１に記載の記録媒体。
【請求項６】  オーディオトラックと、データ及び該データを管理する第１の管理データとを有するデータトラックとを記録可能なデータ領域と、上記オーディオトラック及び上記データトラックを管理する第２の管理データが記録される管理領域とを有する記録媒体に対する記録装置において、
上記オーディオトラック及び上記第２の管理データとしての情報信号について第１の変調方式で変調し、第１の変調データを出力する第１の変調手段と、
上記データトラックとしての情報信号について第２の変調方式で変調し、第２の変調データを出力する第２の変調手段と、
上記第１の変調手段及び上記第２の変調手段より出力される上記第１の変調データ及び上記第２の変調データを、上記記録媒体の所定位置に記録する記録手段と、
を備えたことを特徴とする記録装置。
【請求項７】  上記記録媒体は、成型記録されたアドレスを有するディスク状記録媒体であると共に、
上記成型記録されたアドレスを所定規則で変換して得られるデータ単位が、上記記録手段によって記録される上記第２の変調データの書換単位とされることを特徴とする請求項６に記載の記録装置。
【請求項８】  上記成型記録されたアドレス単位であるセクタの整数倍が、上記第２の変調データの書換単位とされることを特徴とする請求項７に記載の記録装置。
【請求項９】  上記成型記録されたアドレス単位であるクラスタ内に、上記第２の変調データの書換単位が整数個含まれることを特徴とする請求項７に記載の記録装置。
【請求項１０】  上記データトラックに関して論理アドレスを指定した書込要求があった際に、該論理アドレスが含まれる上記書換単位を判別し、判別した書換単位でのデータ書込を上記記録手段に実行させる制御手段を有することを特徴とする請求項７に記載の記録装置。
【請求項１１】  上記記録手段に、上記第１の管理データの管理外となる非公開情報を記録させる制御手段を有することを特徴とする請求項６に記載の記録装置。
【請求項１２】  上記記録媒体は、成型記録されたアドレスを有するディスク状記録媒体であると共に、
上記データ領域内において、ディスク外周側にオーディオトラック記録領域、ディスク内周側にデータトラック記録領域が設定され、
上記オーディオトラックについては、上記記録手段により、上記オーディオトラック記録領域に記録を実行させ、また、上記データトラックについては、上記記録手段により、上記データトラック記録領域に記録を実行させる制御手段を有することを特徴とする請求項６に記載の記録装置。
【請求項１３】  上記データ領域内において、上記オーディオトラックの構成部分の終端位置に対して、物理的に連続して上記データトラックの構成部分の記録を行う場合には、上記記録手段に、上記終端位置から所定距離離間した位置から記録を開始させる制御手段を有することを特徴とする請求項６に記載の記録装置。
【請求項１４】  オーディオトラックと、データ及び該データを管理する第１の管理データとを有するデータトラックとを記録可能なデータ領域と、上記オーディオトラック及び上記データトラックを管理する第２の管理データが記録される管理領域とを有する記録媒体に対する再生装置において、
上記記録媒体からデータ読出を行う読出手段と、
上記読出手段により読み出された上記オーディオトラック及び上記第２の管理データとしての変調データを第１の復調方式で復調する第１の復調手段と、
上記データトラックとしての変調データを第２の復調方式で復調する第２の復調手段と、
を備えたことを特徴とする再生装置。
【請求項１５】  上記記録媒体は、成型記録されたアドレスを有するディスク状記録媒体であると共に、
上記データトラックに関して論理アドレスを指定した読出要求があった際に、該論理アドレスに相当する成型記録されたアドレスを判別して上記読出手段にアクセスさせ、上記ディスク状記録媒体からのデータ読出を実行させる制御手段を有することを特徴とする請求項１４に記載の再生装置。
【請求項１６】  上記記録媒体には、上記第１の管理データの管理外となる非公開情報が記録されており、
上記読出手段に、上記第２の管理データに基づいて上記非公開情報の読み出しを実行させる制御手段を有することを特徴とする請求項１４に記載の再生装置。
【請求項１７】  上記記録媒体は、成型記録されたアドレスを有するディスク状記録媒体であると共に、
上記データ領域内において、ディスク外周側にオーディオトラック記録領域、ディスク内周側にデータトラック記録領域が設定され、
上記読出手段により、上記オーディオトラック記録領域から上記オーディオトラックとしての変調データの読出を実行させ、また、上記データトラック記録領域から上記データトラックとしての変調データの読出を実行させる制御手段を有することを特徴とする請求項１４に記載の再生装置。
【請求項１８】  オーディオトラックと、データ及び該データを管理する第１の管理データとを有するデータトラックとを記録可能なデータ領域と、上記オーディオトラック及び上記データトラックを管理する第２の管理データが記録される管理領域とを有する記録媒体に対する記録方法において、
上記オーディオトラック及び上記第２の管理データの記録の際には、その情報信号について第１の変調方式で変調して上記記録媒体の所定位置に記録し、
上記データトラックの記録の際には、その情報信号について第２の変調方式で変調して上記記録媒体の所定位置に記録する、
ことを特徴とする記録方法。
【請求項１９】  オーディオトラックと、データ及び該データを管理する第１の管理データとを有するデータトラックとを記録可能なデータ領域と、上記オーディオトラック及び上記データトラックを管理する第２の管理データが記録される管理領域とを有する記録媒体に対する再生方法において、
上記記録媒体から上記オーディオトラック又は上記第２の管理データとしての変調データの読出を行う場合には第１の復調方式で復調を行い、
上記記録媒体から上記データトラックとしての変調データの読出を行う場合には第２の復調方式で復調を行うことを特徴とする再生方法。
【手続補正２】
【補正対象書類名】明細書
【補正対象項目名】００１３
【補正方法】変更
【補正の内容】
【００１３】
本発明の記録方法は、オーディオトラックと、データ及び該データを管理する第１の管理データとを有するデータトラックとを記録可能なデータ領域と、上記オーディオトラック及び上記データトラックを管理する第２の管理データが記録される管理領域とを有する記録媒体に対する記録方法において、上記オーディオトラック及び上記第２の管理データの記録の際には、その情報信号について第１の変調方式で変調して上記記録媒体の所定位置に記録し、上記データトラックの記録の際には、その情報信号について第２の変調方式で変調して上記記録媒体の所定位置に記録する。
【手続補正３】
【補正対象書類名】明細書
【補正対象項目名】００１４
【補正方法】変更
【補正の内容】
【００１４】
本発明の再生方法は、オーディオトラックと、データ及び該データを管理する第１の管理データとを有するデータトラックとを記録可能なデータ領域と、上記オーディオトラック及び上記データトラックを管理する第２の管理データが記録される管理領域とを有する記録媒体に対する再生方法において、上記記録媒体から上記オーディオトラック又は上記第２の管理データとしての変調データの読出を行う場合には第１の復調方式で復調を行い、上記記録媒体から上記データトラックとしての変調データの読出を行う場合には第２の復調方式で復調を行う。